(57)【要約】【課題】基地局が輻輳状態となったときにユーザが望む通信サービスの質を確保するように移動局のハンドオーバを可能にすること。【解決手段】無線基地局の通信が輻輳状態になるかどうかを判定し、無線基地局の通信が輻輳状態になると判定されたときに、当該無線基地局と通信を行ういずれかの移動局と該移動局と通信が可能な複数の無線基地局との組合せを所定の基準に従って選択し、該選択された組合せにおける移動局の通信相手を該選択された組合せにおける複数の無線基地局に切替える。【選択図】図１
2011091853.tif 000002
【特許請求の範囲】
【請求項１】
移動局の通信相手となる無線基地局を切替えるハンドオーバ制御方法において、
無線基地局の通信が輻輳状態になるかどうかを判定し、
無線基地局の通信が輻輳状態になると判定されたときに、当該無線基地局と通信を行ういずれかの移動局と該移動局と通信が可能な複数の無線基地局との組合せを所定の基準に従って選択し、
該選択された組合せにおける移動局の通信相手を該選択された組合せにおける複数の無線基地局に切替えるようにしたハンドオーバ制御方法。
【請求項２】
請求項１記載のハンドオーバ制御方法において、
上記移動局と無線基地局との組合せを選択するための所定の基準は、無線基地局での空き無線リソース量または使用無線リソース量に基づいて定められるようにしたハンドオーバ制御方法。
【請求項３】
請求項１記載のハンドオーバ制御方法において、
上記移動局と無線基地局との組合せを選択するための所定の基準は、移動局と無線基地局との間の通信における受信電界強度に基づいて定められるようにしたハンドオーバ制御方法。
【請求項４】
請求項１乃至３いずれか記載のハンドオーバ制御方法において、
上記移動局と無線基地局との組合せを選択するための所定の基準は、移動局が通信相手の切替え後に同時通信を行うべき無線基地局の数に基づいて定められるようにしたハンドオーバ制御方法。
【請求項５】
請求項１乃至４いずれか記載のハンドオーバ制御方法において、
上記移動局と無線基地局との組合せを選択するための所定の基準は、移動局が通信相手の切替え後に通信すべき無線基地局に現在通信を行っている無線基地局を含むか否かに基づいて定められるようにしたハンドオーバ制御方法。
【請求項６】
請求項１乃至５いずれか記載のハンドオーバ制御方法において、
当該無線基地局と通信を行う各移動局と当該無線基地局及び当該無線基地局に隣接する無線基地局のうちの複数の無線基地局との組合せに対して上記所定の基準に従って相互に通信を行うことの適切さに関する優先順位をつけ、
該優先順位のより高い移動局と無線基地局との組合せを選択するようにしたハンドオーバ制御方法。
【請求項７】
請求項１乃至６いずれか記載のハンドオーバ制御方法において、
当該無線基地局と通信を行ういずれかの移動局と当該移動局と通信可能な複数の無線基地局との組合せを選択するための処理が、各無線基地局と有線区間を介して接続されたノードにてなされるようにしたハンドオーバ制御方法。
【請求項８】
請求項１乃至６いずれか記載のハンドオーバ制御方法において、
当該無線基地局と通信を行う移動局が、当該移動局と当該移動局と通信可能な複数の無線基地局との組合せを上記所定の基準に従って選択するための処理を行うようにしたハンドオーバ制御方法。
【請求項９】
請求項８記載のハンドオーバ制御方法において、
当該無線基地局と通信を行う上記移動局が、当該無線基地局が輻輳状態であるか否かを判定するようにしたハンドオーバ制御方法。
【請求項１０】
請求項１乃至９いずれか記載のハンドオーバ制御方法において、
上記移動局の通信相手を上記複数の無線基地局に切替えた後に、その移動局と複数の無線基地局との間の通信状態を観測し、
該観測された通信状態が所定の基準状態より悪い状態となるときに、当該移動局の通信相手を再度切替えるための処理を行うようにしたハンドオーバ制御方法。
【請求項１１】
請求項１０記載のハンドオーバ制御方法において、
移動局と複数の無線基地局との間の通信における誤り率を上記通信状態として観測するようにしたハンドオーバ制御方法。
【請求項１２】
移動局の通信相手となる無線基地局を切替えるハンドオーバ制御システムにおいて、
無線基地局の通信が輻輳状態になるかどうかを判定する輻輳判定手段と、
該輻輳判定手段にて無線基地局の通信が輻輳状態になると判定されたときに、当該無線基地局と通信を行ういずれかの移動局と該移動局と通信が可能な複数の無線基地局との組合せを所定の基準に従って選択する選択手段と、
該選択された組合せにおける移動局の通信相手を該選択された組合せにおける複数の無線基地局に切替えるための切替え制御手段とを有するハンドオーバ制御システム。
【請求項１３】
請求項１２記載のハンドオーバ制御システムにおいて、
上記移動局と無線基地局との組合せを選択するための所定の基準は、無線基地局での空き無線リソース量または使用無線リソース量に基づいて定められるようにしたハンドオーバ制御システム。
【請求項１４】
請求項１２記載のハンドオーバ制御システムにおいて、
上記移動局と無線基地局との組合せを選択するための所定の基準は、移動局と無線基地局との間の通信における受信電界強度に基づいて定められるようしたハンドオーバ制御システム。
【請求項１５】
請求項１２乃至１４いずれか記載のハンドオーバ制御システムにおいて、
上記移動局と無線基地局との組合せを選択するための所定の基準は、移動局に許容された無線リソース量に対する実際に使用されている無線リソース量との比率に基づいて定められるようにしたハンドオーバ制御システム。
【請求項１６】
請求項１２乃至１５いずれか記載のハンドオーバ制御システムにおいて、
上記移動局と無線基地局との組合せを選択するための所定の基準は、移動局が通信相手の切替え後に同時通信を行うべき無線基地局の数に基づいて定められるようにしたハンドオーバ制御システム。
【請求項１７】
請求項１２乃至１６いずれか記載のハンドオーバ制御システムにおいて、
上記移動局と無線基地局との組合せを選択するための所定の基準は、移動局が通信相手の切替え後に通信すべき無線基地局に現在通信を行っている無線基地局を含むか否かに基づいて定められるようにしたハンドオーバ制御システム。
【請求項１８】
請求項１２乃至１７いずれか記載のハンドオーバ制御システムにおいて、
上記選択手段は、当該無線基地局と通信を行う各移動局と当該無線基地局及び当該無線基地局に隣接する無線基地局のうちの複数の無線基地局との組合せに対して上記所定の基準に従って相互に通信を行うことの適切さに関する優先順位をつけ、
該優先順位のより高い移動局と無線基地局との組合せを選択するようにしたハンドオーバ制御システム。
【請求項１９】
請求項１２乃至１８いずれか記載のハンドオーバ制御システムにおいて、
上記選択手段が、各無線基地局と有線区間を介して接続されたノードに設けられたハンドオーバ制御システム。
【請求項２０】
請求項１２乃至１８いずれか記載のハンドオーバ制御システムにおいて、
当該無線基地局と通信を行う移動局が、当該移動局と当該移動局と通信可能な複数の無線基地局との組合せを上記所定の基準に従って選択する選択手段を有するハンドオーバ制御システム。
【請求項２１】
請求項２０記載のハンドオーバ制御システムにおいて、
当該無線基地局と通信を行う上記移動局が、上記輻輳判定手段を有するハンドオーバ制御システム。
【請求項２２】
請求項１２乃至２１いずれか記載のハンドオーバ制御システムにおいて、
上記移動局の通信相手を上記一または複数の無線基地局に切替えた後に、その移動局と複数の無線基地局との間の通信状態を観測する通信状態観測手段と、
該通信状態観測手段にて観測された通信状態が所定の基準状態より悪い状態となるか否かを判定する状態判定手段と、
該状態判定手段にて上記観測された通信状態が所定の基準状態より悪い状態であると判定されたときに、当該移動局の通信相手を再度切替えるための処理を行う再切替制御手段とを有するハンドオーバ制御システム。
【請求項２３】
請求項２２記載のハンドオーバ制御システムにおいて、
上記通信状態観測手段は、移動局とは複数の無線基地局との間の通信における誤り率を上記通信状態として観測する誤り率検出手段を有するハンドオーバ制御システム。
【発明の詳細な説明】
【技術分野】
【０００１】
本発明は、携帯電話に代表される移動通信の移動局を制御する制御システムに係り、特に、そのようなシステムにおいて移動局が通信の相手方の無線基地局を切替える制御、すなわちハンドオーバを行うシステムに関する。
【背景技術】
【０００２】
携帯電話等の移動通信においては、移動局の移動に伴って通信の相手方の無線基地局を切替える制御、すなわちハンドオーバが必須である。ハンドオーバを実現する従来システムを図２１に示す。本システムは、移動局３０、複数の無線基地局（ここでは、無線基地局が二つ有る場合を示す) ２１、２２、ＲＮＣ（Radio Network Controller：無線網制御装置）１０から成る。ＲＮＣ１０は、電界強度測定制御装置１１、無線リソース管理装置１２及ぴスイッチ１３から成る。
【０００３】
次に、本ハンドオーバの動作フローを図２２に示す。移動局３０は、無線基地局１（２１）及びスイッチ１３を介して基幹網に接続され、その基幹網を介して当該基幹網を運営する移動体通信事業者以外の通信事業者が運営するネットワークであるPSTN（Pub1ic Switched Te1ephone Network）、ISDN（Integrated Service Digita1 Network）、あるいはインタネット内に存在している端末と通信しているものとする。移動局３０の移動に伴って、無線基地局１（２１）から遠ざかり無線基地局２（２２）に近づくため、無線基地局１（２１）からの電界強度は弱くなり、逆に無線基地局２（２２）からの電界強度は強くなる。電界強度測定制御装置１１は移動局３０に対し、無線基地局１（２１）を含め周辺無線基地局の電界強度を測定し、報告するように求めているため（動作フローのＳ１)、移動局３０は自局周辺の複数無線基地局の電界強度を測定し、通信中の無線基地局１（２１）を介して、その情報を電界強度測定制御装置１１へ伝送する（動作フローのＳ２、Ｓ３）。電界強度測定制御装置１１は、無線基地局１（２１）の電界強度よりも無線基地局２（２２）の電界強度が強くなった場合、ハンドオーバを行う旨を無線リソース管理装置１２に伝える（動作フローのＳ４）。
【０００４】
無線リソース管理装置１２は、移動局と無線基地局との通信に必要な無線リソースの管理を行う。無線リソースはいわば物理量であり、無線システムの多元接続方式と複信方式によってその種類が決まる。具体的には、ＦＤＭＡ（Frequency Division Multiple Access）の場合は、搬送波の帯域幅及びある通信に対する搬送波の割当て時間であり、ＴＤＭＡ（Time Division Multiple Access）の場合は、搬送波の帯域幅及び搬送波の割当て時間を一定の時間間隔で細分化した無線スロットの数である。更に、ＣＤＭＡ（Code Division Multiple Access）の場合は、搬送波の帯域幅及び送信電力密度であり、これは拡散率に依存する。これらの値の最大値は、各無線基地局及び移動局の最大伝送能力によって決まる。
【０００５】
このような無線リソースの管理を行う無線リソース管理装置は、移動局３０と通信するために無線基地局１（２１）へ割り当てていた無線リソースと同等の無線リソース量を無線基地局２（２２）へ割り当て、新しい無線チャネルを設定する（動作フローのＳ５）。すなわち、無線基地局１（２１）から無線基地局２（２２）へ移動局３０の通信の相手側が切替っても、移動局３０と無線基地局問の伝送容量は変化することはない。しかしながら、切替え前と同等量の無線リソースが確保できなかった場合と（動作フローのＳ６)、新しく設定した無線チャネルの電界強度が不充分で通信に適さない場合は（動作フローのＳ８)、無線リソースの再選択、またはハンドオーバを中止する（動作フローのＳ１１）。同時に、無線リソース管理装置１２は、スイッチ１３を制御し、基幹網と無線基地局１（２１）との接続を基幹網と無線基地局２（２２）との接続へ切替える（動作フローのＳ９）。さらに、無線リソース管理装置１２は、無線基地局１（２１）を介して、移動局３０に対し、無線基地局１（２１）から無線基地局２（２２）へ通信の相手方を切替えるように制御する（動作フローのＳ１０）。これらの切替え制御は同期を取って行うため、ハンドオーバ中に通信が途切れることはほとんどない。
【０００６】
前述の制御手順はMobile-Assisted Handoverと呼ばれ、PDC（Personal Digita1 Cellular Telecommunication System)で用いられている手順である。本手順の説明は・「デジタル方式自動車電話システム標準規格RCRSTD-27H版」（社）電波産業会に詳しい。
【発明の概要】
【発明が解決しようとする課題】
【０００７】
前述の通り、従来のハンドオーバシステムにおいては、ハンドオーバを起動する契機を電界強度または電波干渉量を観測して判断している。このため、従来システムにおいて、移動局３０のユーザ情報量が増えることで特定の無線基地局を経由するトラヒックが増加した場合は、ハンドオーバが起動されることはない。このため、その無線基地局の無線リソースが不足し、使用可能な通信帯域か減少するという問題が発生する。このようなシステムにおいて、伝送すべきユーザ情報が発生した時だけパケット単位でユーザ情報を通信するパケット通信サービスを提供する場合、例えば、PDC-P（PDC mobile packet communications Systems）の場合、無線リソースが不足しても通信自体は確保できるが、スループットの大幅な低下を招き、ユーザの不便を生ずるおそれがある。また、ある無線基地局の無線リソース不足を生じた場合、別の無線基地局の無線リソースに余裕があったとしても、この無線基地局と移動局とを通信させることで移動通信網全体として無線リソースを有効に活用することは困難であった。
【０００８】
さらに、現在、有線通信網における廉価な通信サービスとして、スループットの下限のみを保証する最低帯域保証型のIP（Internet Protoco1）通信サービスが提供されている。しかしながら、従来の移動通信においては、前述のとおりトラヒックの増加によりスループットの大幅低下を招くおそれがあるため、このような帯域保証サービスを移動通信に適用することは困難であった。
【０００９】
また、従来、ある無線基地局での通信が輻輳状態となった場合に、その無線基地局と通信していた移動局の通信相手を隣接する無線基地局に切換えるようにしたハンドオーバシステムが提案されている（例えば、特開２０００−１７５２４３）。このようなハンドオーバシステムでは、輻輳状態となった無線基地局と通信を行う全ての移動局に対してハンドオーバの指示がなされる。そして、輻輳状態となった無線基地局に隣接する各無線基地局と通信可能なすべての移動局がその隣接する各無線基地局にハンドオーバするようにしている。
【００１０】
しかし、このように輻輳状態となる無線基地局と通信を行う移動局のうち隣接する無線基地局と通信可能な全ての移動局がその隣接無線基地局にハンドオーバするようにすると、その輻輳状態であった無線基地局のトラフィックは低下するものの、ハンドオーバ先の無線基地局の通信状況によっては、ハンドオーバした移動局のいくつかは、元の無線基地局との通信を継続していたほうが利用可能な帯域が大きいという状況が発生しうる。このような場合、その移動局にて受けられる通信サービスの質が低下してしまう。
【００１１】
そこで、本発明の課題は、無線基地局が輻輳状態となったときにユーザが望む通信サービスの質をできるだけ確保するようにその輻輳状態となる無線基地局と通信を行う移動局のハンドオーバを可能にするようなハンドオーバ制御方法及びシステムを提供することである。
【課題を解決するための手段】
【００１２】
上記課題を解決するため、本発明によれば、移動局の通信相手となる無線基地局を切替えるハンドオーバ制御方法において、無線基地局と通信中の移動局のうちのいずれかの移動局が予め定めた最低帯域を確保した状態での通信ができなくなったことを検出し、その検出がなされたときに、上記無線基地局と通信を行う移動局の通信相手を当該無線基地局から他の無線基地局に切替えるように構成される。
【００１３】
このようなハンドオーバ制御方法では、無線基地局と通信中の移動局のうちいずれかの移動局が予め定めた最低帯域を確保した状態での通信ができなくなったときに、その無線基地局と通信を行う移動局の通信相手が当該無線基地局から他の無線基地局に切り替えられる。
【００１４】
この通信相手となる無線基地局が切替えられる移動局は、上記最低帯域を確保した状態で通信ができなくなった移動局であっても他の移動局のいずれであってもよい。また、通信相手となる無線基地局が切替えられる移動局は、単数であっても複数であってもいずれでもよい。
【００１５】
上記最低帯域を確保した状態で通信ができなくなった移動局の通信相手が他の無線基地局に切り替えられた場合、その切替え後の無線基地局にて使用されている無線リソース量によって、上記最低帯域を確保した状態で通信ができるようになりうる。また、上記最低帯域を確保した状態で通信ができなくなった移動局以外の移動局の通信相手が他の無線基地局に切り替えられた場合、その移動局が使用していた無線リソースが上記最低帯域を確保した状態で通信ができなくなった移動局の通信に割当てることが可能となり、最低帯域を確保した状態での通信ができるようになりうる。
【００１６】
また、上記課題を解決するため、本発明によれば、移動局の通信の相手方となる無線基地局を切替えるハンドオーバ制御方法において、無線基地局と通信中の移動局のうちのいずれかの移動局が予め定めた最低帯域を確保した状態での通信ができなくなったことを検出し、その検出がなされたときに、上記無線基地局と通信を行う移動局の通信相手を複数の無線基地局に切替えるように構成される。
【００１７】
このようなハンドオーバ制御方法では、移動局の通信相手が複数の無線基地局に切替えられる。その結果、移動局での通信に必要な無線リソースが複数の無線基地局にて分担される。
【００１８】
上記無線基地局と通信を行う移動局の通信相手として切替えられた複数の無線基地局は、切替えられる前に当該移動局と通信を行っていた上記無線基地局を含んでもよい。
【００１９】
移動局の通信相手を受信電界強度がより大きくなる無線基地局に切替えることが好ましいという観点から、本発明によれば、上記各ハンドオーバ制御方法において、各移動局から得られる無線基地局の電界強度情報に基づき、ハンドオーバの対象となる移動局とその通信相手となる無線基地局として、現在通信中の無線基地局と移動局の組み合わせを除いたなかで電界強度の最も強い無線基地局と、これを観測した移動局とを選択するように構成することができる。
【００２０】
できるだけ通信帯域が犠牲になっている移動局を無線リソースに余裕のある無線基地局に切替えることが好ましいという観点から、本発明によれば、上記各ハンドオーバ制御方法において、ハンドオーバの対象となる移動局と無線基地局として、無線リソースの割当て量が最低帯域に最も近く、ユーザ情報量の増加に対して余裕のない移動局と、無線リソースが最も余っている無線基地局を選択するように構成することができる。
【００２１】
同様の観点から、本発明によれば、上記各ハンドオーバ制御方法において、ハンドオーバの対象となる移動局と無線基地局として、最低帯域の値が最も高く無線リソースを多く必要としている移動局と、無線リソースが最も余っている無線基地局を選択するように構成することができる。
【００２２】
上記各ハンドオーバ制御方法において、最低帯域を確保した状態での通信ができなくなったことを検出するための具体的な手法を提供するという観点から、無線基地局と通信中の移動局のうちのいずれかの移動局が予め定めた最低帯域を確保した状態での通信ができなくなったことの検出は、電界強度、または符号誤り率、またはフレーム誤り率、またはセル廃棄率、またはこれらのうちの複数の組み合わせを測定し、この測定結果に基づいて行うようにすることができる。
【００２３】
また、本発明によれば、上記各ハンドオーバ制御方法において、上記切替え後の通信相手となる無線基地局を、上記移動局が選択するようにすることも、また、上記切替え後の通信相手となる無線基地局を、上記移動局以外のノードにて選択し、その選択された無線基地局の情報を当該ノードから当該移動局に通知し、当該移動局の通信相手となる無線基地局がその通知された無線基地局に切替えられるようにすることもできる。
【００２４】
異なったプロトコルを採用する無線通信システム間でハンドオーバを可能にするという観点から、本発明によれば、上記各ハンドオーバ制御方法において、第一の通信プロトコルを採用する第一の無線通信システムの無線基地局と通信中の移動局のうちいずれかの移動局が予め定めた最低帯域を確保した状態で通信ができなくなったことを検出し、その検出がなされたときに、上記無線基地局と通信を行う移動局の通信相手を第二の通信プロトコルを採用する第二の無線通信システムの無線基地局に切替えるに際し、当該移動局についての無線リソースに関する情報を有線区間を介して上記第一の無線通信システムから上記第二の無線通信システムにプロトコル変換を行って転送するように構成することができる。
【００２５】
また、上記課題を解決するため、本発明によれば、移動局の通信相手となる無線基地局を切替えるハンドオーバ制御方法において、無線基地局の通信が輻輳状態になるか否かを判定し、無線基地局の通信が輻輳状態になると判定されたときに、当該無線基地局と通信を行ういずれかの移動局と該移動局と通信が可能な一または複数の無線基地局との組合せを所定の基準に従って選択し、その選択された組合せにおける移動局の通信相手をその組合せにおける一または複数の無線基地局に切替えるように構成される。
【００２６】
このようなハンドオーバ制御方法では、無線基地局の通信が輻輳状態になると判定されると、当該基地局と通信を行ういずれかの移動局と該移動局と通信が可能な一または複数の無線基地局との組合せが所定の基準に従って選択される。そして、その選択された組合せにおける移動局の通信相手がその組合せにおける一または複数の無線基地局に切替えられる。
【００２７】
移動局と一または複数の無線基地局との組合せは単一でも複数でも選択することが可能である。また、その複数の無線基地局に当該移動局と現在通信を行う上記無線基地局を含むこともできる。
【００２８】
上記無線基地局における輻輳状態は、当該無線基地局での空き無線リソース量、当該無線基地局と通信を行う移動局が使用する無線リソース量、通信における誤り率、移動局が予め定められた最低帯域にて通信が行われているか否かなど、種々の情報に基づいて判定することができる。
【００２９】
移動局の通信相手をできるだけ無線リソースに余裕のある無線基地局に切替えることができるという観点から、本発明によれば、上記ハンドオーバ制御方法において、上記移動局と無線基地局との組合せを選択するための所定の基準は、無線基地局での空き無線リソース量または使用無線リソース量に基づいて定められるように構成することができる。
【００３０】
移動局の通信相手をできるだけ通信状態の良い無線基地局に切替えることができるという観点から、本発明によれば、上記各ハンドオーバ制御方法において、上記移動局と無線基地局との組合せを選択するための所定の基準は、移動局と無線基地局との間の通信における受信電界強度に基づいて定められるように構成できる。
【００３１】
要求されるデータ通信量が満足されていない移動局の通信相手をできるだけ切替えることができるという観点から、本発明によれば、上記各ハンドオーバ制御方法において、上記移動局と無線基地局との組合せを選択するための所定の基準は、移動局に許容された無線リソース量に対する実際に使用されている無線リソース量との比率に基づいて定められるように構成することができる。
【００３２】
移動局の通信相手の切替えをより容易できるという観点から、本発明によれば、上記各ハンドオーバ制御方法において、上記移動局と無線基地局との組合せを選択するための所定の基準は、移動局が通信相手の切替え後に同時通信を行うべき無線基地局の数に基づいて定められるように構成することができる。
【００３３】
このようなハンドオーバ制御方法では、例えば、移動局の通信相手をより少ない数の無線基地局に優先的に切替えるようにすることができる。この場合、より少ない数の無線基地局への切替えは比較的容易に行うことができる。
【００３４】
切替え後の移動局の通信相手としてできるだけ切替え前に通信を行っていた無線基地局を含めることができるようにするという観点から、本発明によれば、上記各ハンドオーバ制御方法において、上記移動局と無線基地局との組合せを選択するための所定の基準は、移動局が通信相手の切替え後に通信すべき無線基地局に現在通信を行っている無線基地局を含むか否かに基づいて定められるように構成することができる。
【００３５】
本発明によれば、上記各ハンドオーバ制御方法において、当該無線基地局と通信を行う各移動局と当該無線基地局及びそれに隣接する無線基地局のうちの一または複数の無線基地局との組合せに対して上記所定の基準に従って相互に通信を行うことの適切さに関する優先順位をつけ、その優先順位のより高い移動局と無線基地局との組合せを選択するように構成することができる。
【００３６】
上記優先順位は、移動局と無線基地局が相互に通信を行うことの適切さに関する順位であれば特に限定されず、所定の基準に従って付与された点数で表されるものであっても、順位そのものにて表されるものであってもよい。即ち、より優先順位が高い移動局と無線基地局との組合せが、より通信を行うことに適していることを表す。通信を行うことに適しているとは、より通信品質が良い状態で通信が行い得ること、及びハンドオーバに必要な制御が容易に実行できることを意味する。
【００３７】
ハンドオーバに関する処理を集中してできるという観点から、本発明によれば、上記各ハンドオーバ制御方法において、当該無線基地局と通信を行ういずれかの移動局と当該移動局と通信可能な一または複数の無線基地局との組合せを選択するための処理が、各無線基地局と有線区間を介して接続されたノードにてなされるように構成することができる。
【００３８】
ハンドオーバに関する処理を分散してできるという観点から、本発明によれば、上記各ハンドオーバ制御方法において、当該無線基地局と通信を行う移動局が、当該移動局と当該移動局と通信可能な一または複数の無線基地局との組合せを上記所定の基準に従って選択するための処理を行うように構成することができる。
【００３９】
更に、本発明によれば、上記ハンドオーバ制御方法において、当該無線基地局と通信を行う上記移動局が、当該無線基地局が輻輳状態であるか否かを判定するように構成することができる。
【００４０】
移動局の通信品質をより高く、かつ確実に維持できるという観点から、本発明によれば、、上記各ハンドオーバ制御方法において、上記移動局の通信相手を上記一または複数の無線基地局に切替えた後に、その移動局と一または複数の無線基地局との間の通信状態を観測し、その観測された通信状態が所定の基準状態より悪い状態となるときに、当該移動局の通信相手を再度切替えるための処理を行うように構成できる。
【００４１】
このようなハンドオーバ制御方法では、移動局の通信相手を切替えた後に、その移動局と切替え後の無線基地局との間の通信状態が所定の状態より悪い場合、その移動局の通信相手が再度切替えられる。このため、当該移動局はより良い状態での通信をより確実に行うことができるようになる。
【００４２】
本発明によれば、上記ハンドオーバ制御方法において、移動局と一または複数の無線基地局との間の通信における誤り率を上記通信状態として観測するように構成することができる。
【００４３】
上記課題を解決するため、本発明によれば、移動局の通信相手となる無線基地局を切替えるハンドオーバシステムにおいて、無線基地局と通信中の移動局のうちのいずれかの移動局が予め定めた最低帯域を確保した状態での通信ができなくなったことを検出する検出手段と、該検出手段にていずれかの移動局が予め定めた最低帯域を確保した状態での通信ができなくなったことが検出されたときに、上記無線基地局と通信を行う移動局の通信相手を当該無線基地局から他の無線基地局に切替えるための切替え制御手段とを有するように構成される。
【００４４】
また、本発明によれば、移動局の通信の相手方となる無線基地局を切替えるハンドオーバ制御システムにおいて、無線基地局と通信中の移動局のうちのいずれかの移動局が予め定めた最低帯域を確保した状態での通信ができなくなったことを検出する検出手段と、該検出手段にていずれかの移動局が予め定めた最低帯域を確保した状態での通信ができなくなったことが検出されたときに、上記無線基地局と通信を行う移動局の通信相手を複数の無線基地局に切替えるための切替え制御手段とを有するように構成される。
【００４５】
更に、本発明によれば、移動局の通信相手となる無線基地局を切替えるハンドオーバ制御システムにおいて、無線基地局の通信が輻輳状態になるか否かを判定する輻輳判定手段と、該輻輳判定手段にて無線基地局の通信が輻輳状態になると判定されたときに、当該無線基地局と通信を行ういずれかの移動局と該移動局と通信が可能な一または複数の無線基地局との組合せを所定の基準に従って選択する選択手段と、その選択された組合せにおける移動局の通信相手をその組合せにおける一または複数の無線基地局に切替えるための切替え制御手段とを有するように構成される。
【発明の効果】
【００４６】
本発明のハンドオーバシステムでは、ある無線基地局が輻輳しても、他の輻輳していない無線基地局へ移動局をハンドオーバできるので移動通信網全体において無線リソースの有効活用を図ることが可能になる。また、ユーザ所望の最低限の伝送容量、ないしはスループットを確保できるので、ユーザの利便性を図ることが可能となる。
【図面の簡単な説明】
【００４７】
【図１】本発明のハンドオーバシステムの第一の例を表すブロック構成図である。
【図２】本発明のハンドオーバシステムの動作フローを表す図である。
【図３】本発明のハンドオーバシステムの第二の例を示すブロック構成図である。
【図４】本発明の信号分配/ 合成装置の構成例を表す図である。
【図５】本発明の第二の例の動作フローを表す図である。
【図６】本発明のハンドオーバシステムの第三の例を示すブロック構成図である。
【図７】本発明の第三の例の動作フローを表す図である。
【図８】本発明のハンドオーバシステムの第四の例を示すブロック構成図である。
【図９】本発明のハンドオーバシステムの第五の例が適用される移動通信システムの構成例を示す図である。
【図１０】本発明のハンドオーバシステムの第五の例を示すブロック構成図である。
【図１１】ハンドオーバ処理の手順の一例を示すシーケンス図である。
【図１２】最適な移動局と無線基地局を選択するための処理手順の一例を示すシーケンス図である。
【図１３】評価点表の一例（その１）を示す図である。
【図１４】評価点表の一例（その２）を示す図である。
【図１５】評価点表の一例（その３）を示す図である。
【図１６】評価点の管理テーブルの一例を示す図である。
【図１７】本発明のハンドオーバシステムの第六の例において、最適な移動局と無線基地局を選択するための処理手順の一例を示すシーケンス図である。
【図１８】本発明のハンドオーバシステムの第七の例において、最適な移動局と無線基地局を選択するための処理手順の一例を示すフローチャートである。
【図１９】本発明のハンドオーバシステムの第八の例を示すブロック構成図である。
【図２０】ハンドオーバ処理の手順の一例を示すシーケンス図である。
【図２１】従来例を示すブロック構成図である。
【図２２】従来例の動作フローを表す図である。
【発明を実施するための形態】
【００４８】
以下、本発明の実施の形態を図面に基づいて説明する。
【００４９】
本発明の実施の形態に係るハンドオーバシステムの第一の例を示すブロック構成図を図１に示す。
【００５０】
本システムは、移動局（ここでは、１及び２）３１、３２、複数の無線基地局（ここでは、１及び２）２１、２２、ＲＮＣ１０から成る。ＲＮＣ１０は、最低帯域保証装置１４、電界強度測定制御装置１１、無線リソース管理装置１２及びスイッチ１３から成る。
【００５１】
本システムの動作フローを図２に示す。まず移動局１（３１）および移動局２（３２）は、無線基地局１（２１）、スイッチ１３及び基幹網を介してインタネットやPSTN、ISDN内の別々の端末と通信しているものとする。このとき、移動局１（３１）のユーザ情報量が増加し、無線基地局１（２２）が輻輳状態となってきた場合について説明する。まず、最低帯域保証装置に１４は、あらかじめ、ユーザ毎及び通信サービス毎に必要なユーザ所望の最低帯域を記憶しておく（動作フローＳ１）。次に、この情報を基に、最低帯域保証装置１４はユーザ所望の最低帯域を満足するだけの無線リソース量の下限値を設定する（動作フローのＳ２）。例えば最低必要な無線キャリア数、またはスロット数、または拡散コード数を単独で、または複数組合せて設定する。加えて、特定の無線チャネルにランダムアクセスする移動局の数を制限することも可能である。
【００５２】
無線基地局１（２１）は自局を通過するトラヒック量を計測し、輻輳状態となってきたらその旨を無線リソース管理装置１２へ通知する。無線リソース管理装置１２は、この無線基地局に関してトラヒックの増加に対応するため新たに無線リソースを割当てる必要がある。しかしながら、一つの無線基地局の無線リソースは限られており、無線リソースが不足する。すると、無線リソース管理装置１２は、無線基地局１（２１）と各移動局の通信が最低帯域を満たしているかどうか、最低帯域保証装置１４へ問い合わせる（動作フローのＳ３）。この問い合わせ時に（動作フローのＳ４）、最低帯域を満たしていない移動局が存在したら、無線リソース管理装置１２は、ハンドオーバする移動局（こでは移動局１（３１）とする）その切替え先無線基地局（ここでは無線基地局２（２２）とする）を選択する。その選択方法としては、
（１）電界強度測定制御装置１１を通じて各移動局から得られる無線基地局の電界強度情報に基づき、電界強度の最も強い無線基地局と、これを観測した移動局とを選択する方法
（２）無線リソースの管理情報に基づき、無線リソースの割当て量が最低帯域に最も近い移動局と、無線リソースが最も余っている無線基地局を選択する方法
（３）最低帯域の値が高く無線リソースを多く必要としている移動局と、無線リソースが最も余っている無線基地局を選択する方法
等が挙げられる。また、これらの複数を組み合わせてもよい。さらに、本無線基地局に対し、最低帯域保証装置１４が設定した無線リソース量の下限値を下回らないように無線リソースを無線基地局２（２２）へ割り当て、新たに無線チャネルを設定する（動作フローのＳ６）。次に、電界強度測定制御装置１１は、新たに設定した無線チャネルが通信に適しているかどうか移動局１（３１）から観測するように、無線基地局１（２１）経由で指示する（動作フローのＳ７）。通信に適していれば、電界強度測定制御装置１１はハンドオーバの実行を無線リソース管理装置１２へ指示する。無線リソース管理装置１２はスイッチ１３を制御し、基幹網と無線基地局１（２１）との接続を基幹網と無線基地局２（２２）との接続へ切替える（動作フローのＳ９）。さらに、無線リソース管理装置１２は、無線基地局１（２１）から無線基地局２（２２）へ、移動局の通信の相手方を完全に切替えるよう無線基地局１（２１）、無線基地局２（２２）及び移動局１（３１）を制御する（作フローのＳ１０）。これらの切替えは、同期を取って行う。
【００５３】
なお、このハンドオーバシステムは、従来システムと同様、電界強度の低下や電波干渉の発生、フェージングの発生を観測してハンドオーバを行う機能も備えている。
【００５４】
本発明の実施の形態に係るハンドオーバシステムの第二の例を図３に示す。本システムでは、無線基地局１（２１）無線基地局２（２２）にどちらも単独では十分な無線リソースが確保できない場合に、無線基地局１（２１）及び無線基地局２（２２）の両方と通信し、両方の通信における伝送容量を加算して最低帯域を保証する。それでも不足する場合は、第３、第４の無線基地局を選択し、多数の無線基地局と通信することで最低帯域を保証する。本発明のシステムは、移動局（ここでは、１及び２）３１、３２、複数の無線基地局（ここでは、１及び２）２１、２２、ＲＮＣ１０から成る。ＲＮＣ１０は、最低帯域保証装置１４、信号分配／合成装置１５、電界強度測定制御装置１１、無線リソース管理装置１２及びスイッチ１３から成る。信号分配／合成装置１５の例を図４に示す。本装置では、上りの回路と下りの回路に分けられる。上りの回路については無線基地局から、下りの回路については交換機から信号が入力される。これらの信号は、分配器１５１、１５２、１６１、１６２によって、上りについては移動局毎の、下りについては無線基地局毎の信号に分配される。分配された信号は、送信元で送信した順番に従って、合成器１５３、１５４、１６３、１６４によって合成され、出力される。
【００５５】
一方、本システムに対応した移動局には、複数の無線基地局と通信するための複数の送受信装置と、ユーザ情報を複数の送受信装置へ分配するための信号分配／合成装置を備える。なお、本信号分配／合成装置の装置構成は前出の図４の構成において、上り側の回路では合成器を、下り回路では分配器をそれぞれ取り除き、かつ上り側では入力側を、下り側では出力側を１端子の構成とすればよい。
【００５６】
次に、動作フローを図５に示す。本システムでは、ユーザ所望の最低帯域が満足できないと判断した場合に（動作フローのＳ４）、無線リソース管理装置１２はハンドオーバする移動局と、その切替え先無線基地局を複数選択する（動作フローのＳ５）。具体的な選択方法としては、移動局が測定した無線基地局の電界強度が強い組合せを優先する方法、無線リソースの余りが多い組合せを優先する方法、及びこれらの方法を組合せた方法が挙げられる。次に、無線リソース管理装置１２は、選択した移動局１（３１）と複数無線基地局について、移動局１（３１）が必要とする最低帯域を満たすように無線リソースを割当て、新たに無線チャネルを設定する（動作フローのＳ６）。次に、電界強度測定制御装置１１は、無線リソース管理装置１２が新たに設定した無線チャネルが通信に適しているかどうか判断するため、電界強度を測定しその結果を報告するよう、移動局１（３１）へ指示する。電界強度測定装置１２は、新たに設定した無線チャネルが通信に適していると判断したら、ハンドオーバする旨を無線リソース管理装置１２へ指示する。無線リソース管理装置１２は信号分配／合成装置１５を制御し、各移動局毎の信号に分配/ 合成する（動作フローのＳ９）。さらに、無線リソース管理装置１２はスイッチ１３を制御し、移動局毎の信号のスイッチングを行い、この信号を基幹網を介してインタネット等へ送出する（動作フローのＳ１０）。
【００５７】
上記ハンドオーバシステムに、各ユーザおよび各通信サービスの最低帯域が保証されているかどうか監視する最低帯域監視装置１６を付加した第３の例を図６に示す。また、動作フローを図７に示す。本発明のシステムにおいては、例えば、最低帯域監視装置１６をスイッチ１３と基幹網との問に設置し、各ユーザおよび各通信サービスの全て、またはいずれかについてスループットを測定する（動作フローのＳ１２）。具体的には、フレーム構成となっている情報信号について、各フレームに誤り検出機能を設ける。この機能として、例えば冗長符号を付加するCRC（Cyc1ic Redundancy Contro1）が挙げられる。この機能を用い、例えば再送を行わない場合、フレーム誤りを検出したらそのフレームは伝送されなかったとみなすことで、単位時間内のスループットを求める。さらに、最低帯域保証装置１４では、その測定結果が最低帯域を満たしていない場合（動作フローのＳ１３）、無線リソースを再割り当てし、新たに無線チャネルを設定する。
【００５８】
ハンドオーバシステムを、無線伝送路の通信プロトコルの異なるシステム間でのハンドオーバに適用した場合の第四の例を図８に示す。本システムは、従来例と同等な構成を持ち、同等な動作をするシステム２と、システム２を配下に収め、かつシステム２と通信プロトコルが異なる無線伝送路を持つシステム１から構成される。この場合の例として、システム１がIMT-2000に相当し、システム２がＰＤＣに相当すると考えてよい。
【００５９】
システム１は、移動局（ここでは、１及び２）３１、３２、複数の無線基地局（ここでは、１及び２）２１、２２、ＲＮＣ１０から成る。ＲＮＣ１０は、最低帯域保証装置１４、プロトコル変換器１７、１８、電界強度測定制御装置１１、無線リソース管理装置１２及びスイッチ１３から成る。
【００６０】
本システムにおいて、システム１のスイッチ１３とシステム２の交換機１０３は、プロトコル変換器１７を介して接続されている。またシステム１の最低帯域保証装置１４と、システム２の無線リソース管理装置１０２もプロトコル変換器１８を介して接続されている。なお、本システムにおける無線伝送路の通信プロトコルは、システム１とシステム２では異なる。よって、移動局は両方のシステムの通信プロトコルに対応するため、システム１用の送受信装置とシステム２用の送受信装置を内蔵する。また、システム１ないしシステム２からの制御により、二つの送受信装置を切替えるスイッチも内蔵している。
【００６１】
本システムの動作は、上述した第一の例で説明した動作内容とほとんど等しいが、最低帯域保証装置１４はシステム２の無線リソース管理装置１０２へ、プロトコル変換器１８経由で通信することが異なる。また、システム１の無線リソース管理装置１２とシステム２の無線リソース管理装置１０２は、無線リソースの割当てのため、両者間で調整する場合、プロトコル変換器１８経由で情報の授受を行う。
【００６２】
また、更に、本発明の実施の形態に係るハンドオーバシステムの第五の例を説明する。この第五の例では、ある無線基地局が輻輳状態となったときに、その無線基地局と通信を行う各移動局から隣接する無線基地局にハンドオーバさせるのに適した移動局を選択し、その選択された移動局をその隣接する無線基地局にハンドオーバさせるようにしている。
【００６３】
この第五の例に係るハンドオーバシステムが適用される移動通信システムは、例えば、図９に示すように構成されている。
【００６４】
図９において、無線基地局ＢＳ１、ＢＳ２、ＢＳ３がＲＮＣ１０に接続されており、このＲＮＣ１０が基幹網に接続されている。このような構成により、各無線基地局ＢＳ１、ＢＳ２、ＢＳ３の通信エリアに在圏する各移動局ＭＳ１乃至ＭＳ５は、無線基地局ＢＳ１、ＢＳ２、ＢＳ３、ＲＮＣ１０及び基幹網を介してPSTN（Public Switched Telephone Network）やISDN（Integrated Service Digital Network）、インタネットなどに存在する端末と通信を行うことができる。なお、この第五の例は、３つの無線基地局ＢＳ１、ＢＳ２、ＢＳ３に対して５つの移動局ＭＳ１乃至ＭＳ５が通信を行う構成を例示的に示すもので、特に、それに限定されるものではない。
【００６５】
上記のような移動通信システムに適用されるハンドオーバシステムは、例えば、図１０に示すように構成される。
【００６６】
図１０において、ＲＮＣ１０は、前述した例と同様に、電界強度測定制御装置１１、無線リソース管理装置１２及びスイッチ１３を有する。このＲＮＣ１０は更に移動局管理装置１９を有する。この移動局管理装置１９は、後述するような受信電界強度、使用無線リソースなどの観点から予め定めた評価点表を用いて各移動局とその移動局と通信を行うべき各無線基地局との組合せの評価を行う。そして、その評価結果に応じて、各移動局と無線基地局との組合せのなかから、移動局とハンドオーバ先の無線基地局との最適な組合せが選択される。
【００６７】
例えば、図９及び図１０において、無線基地局ＢＳ１と通信を行う移動局ＭＳ１が当該無線基地局ＢＳ１の通信エリアから無線基地局ＢＳ２の通信エリアに移動する際に行われるハンドオーバの処理について説明する。
【００６８】
図９に示すように、無線基地局ＢＳ１はその通信エリアに在圏する各移動局ＭＳ１、ＭＳ５と通信を行い、また、無線基地局ＢＳ２はその通信エリアに在圏する各移動局ＭＳ２、ＭＳ３、ＭＳ４と通信を行っている。特に、移動局ＭＳ１と移動局ＭＳ２について注目すると、その通信シーケンスは、例えば、図１１に示すようになっている。
【００６９】
図１１（ａ）に示すように、移動局ＭＳ１が無線基地局ＢＳ１と通信を行い、移動局ＭＳ２が無線基地局ＢＳ２と通信を行う状態において、ＲＮＣ１０における電界強度測定制御装置１１からの受信電界強度の測定指示が各無線基地局ＢＳ１及びＢＳ２を介して各移動局ＭＳ１、ＭＳ２に送信される。その指示に従って、各移動局ＭＳ１、ＭＳ２は、周囲に存在する各無線基地局からの電界強度を測定してその測定値を無線基地局ＢＳ１、ＢＳ２を介してＲＮＣ１０に報告する。
【００７０】
移動局ＭＳ１が無線基地局ＢＳ１と通信を行いつつ無線基地局ＢＳ２の通信エリアに移動する。その際、図１１（ｂ）に示すように、移動局ＭＳ１からＲＮＣ１０の電界強度測定制御装置１１に報告される無線基地局ＢＳ１からの電界強度測定値と無線基地局ＢＳ２からの電界強度測定値とが比較される。そして、無線基地局ＢＳ２からの電界強度が無線基地局ＢＳ１からの電界強度より所定量以上大きくなると、それを契機にＲＮＣ１０は、移動局ＭＳ１の通信相手を無線基地局ＢＳ１から無線基地局ＢＳ２に切替える（ハンドオーバ）ための制御を開始する（ハンドオーバ１）。しかし、この場合、無線基地局ＢＳ２は移動局ＭＳ２、ＭＳ３、ＭＳ４との通信で多くの無線リソースを使用している状況であり、新たに移動局ＭＳ１との通信に割当てるための無線リソースが不足している（輻輳する）と無線基地局ＢＳ２が判断すると、その無線基地局ＢＳ２からＲＮＣ１０を介して無線基地局ＢＳ１に移動局ＭＳ１のハンドオーバを中断するよう指示がなされ、その指示が無線基地局ＢＳ１から更に移動局ＭＳ１に転送される。
【００７１】
このようにハンドオーバの中断の指示を受信した移動局ＭＳ１は無線基地局ＢＳ1との通信状態を維持する。この状態で、図１１（ｃ）に示すように、無線基地局ＢＳ２は、ＲＮＣ１０に無線リソースが不足している旨の報告を行う。この報告を受けたＲＮＣ１０は、無線基地局ＢＳ２の通信エリアに移動してきた移動局ＭＳ１と当該無線基地局ＢＳ２との通信を可能にするために、無線基地局ＢＳ２と既に通信を行っている各移動局ＭＳ２、ＭＳ３、ＭＳ４のなかから隣接する無線基地局にハンドオーバさせるのに適した移動局を選択するための処理を行う。この処理の詳細については後述する。
【００７２】
このようしてハンドオーバすべき移動局とそのハンドオーバ先となる無線基地局との組合せが選択されると、その選択された組合せにおける移動局をその組合せにおける無線基地局にハンドオーバさせる（ハンドオーバ２）。例えば、ハンドオーバされる移動局ＭＳ２の通信を無線基地局ＢＳ２とＢＳ３で分担するように決められた場合（第二の例参照）、移動局ＭＳ２のハンドオーバ処理（電界強度測定、報告、基地局切替え制御など）により、移動局ＭＳ２と無線基地局ＢＳ２及びＢＳ３との間にリンクが張られる。そして、移動局ＭＳ２は無線移動局ＢＳ２、ＢＳ３と並列的に無線通信を行ない、更にＲＮＣ１０及び基幹網を介して他の通信端末と通信を行なう。
【００７３】
このように移動局ＭＳ２の通信にて必要となる無線リソースの一部が無線基地局ＢＳ３にて分担されるようになると（移動局ＭＳ２の部分的なハンドオーバ）、無線基地局ＢＳ２の通信エリアに移動してきた移動局ＭＳ１が無線基地局ＢＳ２と通信を行なうための無線リソースが確保できるようになる。このような状態になると、ＲＮＣ１０は、上記のように中断していた移動局ＭＳ１のハンドオーバ処理を再開する（図１２における（ｄ）参照）。即ち、ＲＮＣ１０は、各無線基地局ＢＳ１、ＢＳ２及び移動局ＭＳ１に基地局切替え制御の再開を指示する。その結果、移動局ＭＳ１の通信相手が無線基地局ＢＳ１から無線基地局ＢＳ２に切替えられる（ハンドオーバ）。以後、移動局ＭＳ１は、無線基地局ＢＳ２、ＲＮＣ１０及び基幹網を介して他の端末と通信を行なう。
【００７４】
このように、移動局ＭＳ１が無線基地局ＢＳ２の通信エリアに移動してきた際に、その無線基地局ＢＳ２が輻輳状態となるような場合であっても、その無線基地局ＢＳ２と既に通信を行なっている移動局を隣接する無線基地局ＢＳ３にハンドオーバ（部分的なハンドオーバも含む）させることにより、その移動してきた移動局ＭＳ１と無線基地局ＢＳ２とが通信を行なうための無線リソースを確保できるようになる。そして、上述したような処理が各無線基地局に対して連鎖的に行なわれることにより、より多くの移動局が確実に通信を行なうことができるようになる。
【００７５】
上述したように、無線基地局ＢＳ２の通信エリアに移動してきた移動局ＭＳ１と当該無線基地局ＢＳ２との通信を可能にするために、無線基地局ＢＳ２と既に通信を行っている各移動局ＭＳ２、ＭＳ３、ＭＳ４のなかから隣接する無線基地局にハンドオーバさせるのに適した移動局を選択するための処理が行なわれる（図１１（ｃ）参照）が、その処理は、具体的に図１２に示す手順に従ってなされる。
【００７６】
図１２において、ＲＮＣ１０の電界強度測定制御装置１１は、配下の移動局のそれぞれに対して通信相手となっている無線基地局及び隣接する無線基地局のそれぞれからの受信電界強度を測定するように指示する。そして、各移動局ＭＳ１及びＭＳ２は、それぞれの電界強度測定値を無線基地局ＢＳ１、ＢＳ２を介してＲＮＣ１０に報告する（図１２における（１））。
【００７７】
また、ＲＮＣ１０の無線リソース管理装置１２は、各無線基地局ＢＳ１、ＢＳ２、ＢＳ３に対して無線リソースの使用状況を報告するよう指示する。そして、各無線基地局ＢＳ１、ＢＳ２、ＢＳ３はその指示に従って無線リソースの使用状況をＲＮＣ１０の無線リソース管理装置１２に報告する（図１２における（２））。
【００７８】
この無線リソースの使用状況を表す情報として、例えば、各無線基地局と通信を行う各移動局に許容されている最大の無線リソース量とその移動局が実際の通信により占有している無線リソースとの比率、各無線基地局での無線リソースの使用率などを用いることができる。
【００７９】
上記のようにして電界強度測定制御装置１１が各移動局から電界強度の測定値の報告を受け、無線リソース管理装置１２が各無線基地局から無線リソースの使用状況についての報告を受けると、ＲＮＣ１０の移動局管理装置１９は、その報告された電界強度の測定値及び無線リソースの使用状況に基づいて、移動局と通信相手としての無線基地局との組合せに対する評価を行う。そして、その評価に基づいてハンドオーバするのに適した移動局とそのハンドオーバ先となる無線基地局との組が選択される（図１２における（３））。
【００８０】
その選択結果、即ち、移動局とそのハンドオーバ先となる無線基地局との組合せが、ＲＮＣ１０から各無線基地局ＢＳ１、ＢＳ２、ＢＳ３に通知されれる（図１２における（４））。その後、その選択された移動局がそれと組となる無線基地局にハンドオーバされる（図１１（ｃ）参照）。
【００８１】
上述した各移動局と通信相手としての無線基地局との組合せの評価は、例えば、次のようにしてなされる。
【００８２】
各移動局に対する通信相手として受信電界強度の測定値ができるだけ大きくなる無線基地局が適している。無線基地局ＢＳｉと移動局ＭＳｊの組合せについて、電界強度の測定値がＰｉｊであれば、その評価点は電界強度の測定値Ｐｉｊの関数ｆ（Ｐｉｊ）で表される。この評価点ｆ（Ｐｉｊ）は、例えば、図１３に示すような評価点表に基づいて定義される。この例（図１３参照）の場合、移動局での受信電界の適正なダイナミックレンジが４ｄＢμＶ〜６４ｄＢμＶであるとしている。
【００８３】
現在移動局ＭＳｊと通信を行っている無線基地局（相手局）ＢＳｉからの受信電界の測定値Ｐｉｊが上記ダイナミックレンジ以下になる場合、評価点ｆ（Ｐｉｊ）が「０点」（最低点）であり、その電界強度の測定値Ｐｉｊが大きくなるに従って評価点ｆ（Ｐｉｊ）が「１点」、「２点」、「３点」、「４点」のように順次大きくなる。従って、移動局ＭＳｊと現在通信相手となる無線基地局ＢＳｉとの組合せに対する評価点が高ければ高いほど、移動局ＭＳｊはこの無線基地局ＢＳｉとの通信を維持することが好ましいことを表す。
【００８４】
一方、移動局ＭＳｊと通信を行っている無線基地局に隣接した無線基地局局（隣接局）ＢＳｉからの受信電界の測定値Ｐｉｊが上記ダイナミックレンジ以下となる場合、上述した通信相手となる無線基地局（相手局）の場合と同様に、上記評価点ｆ（Ｐｉｊ）が「０点」（最低点）であり、その電界強度の測定値Ｐｉｊが大きくなるに従って評価点ｆ（Ｐｉｊ）が「１点」、「２点」、「３点」、「４点」のように順次大きくなる。従って、移動局ＭＳｊと隣接局ＢＳｉとの組合せに対する評価点が高ければ高いほど、移動局ＭＳｊはこの隣接局ＢＳｊにハンドオーバさせることが好ましいことを表す。
【００８５】
即ち、移動局ＭＳｊと無線基地局ＢＳｉ（相手局でも隣接局のいずれでもよい）との組合せに対する評価点が高ければ高いほど、移動局ＭＳｊはその組合せ先となる無線基地局ＢＳｉと通信を行うことが好ましいことを表すことになる。
【００８６】
また、各移動局に対する通信相手として、その移動局ができるだけ多くの無線リソースを占有できる状況となる無線基地局が適している。従って、無線基地局ＢＳｉと移動局ＭＳｊの組合せについて、移動局ＭＳｊに許容された最大無線リソース量と実際に通信により占有されている無線リソースとの比率をｒjとし、無線基地局ＢＳｉでの無線リソースの使用率をＲｉとすると、それぞれに対する評価点は対応する比率の関数ｇ１（ｒｊ）及びｇ２（Ｒｉ）で表される。この各評価点ｇ１（ｒｊ）及びｇ２（Ｒｉ）は、例えば、図１４に示すような評価点表に基づいて定義される。
【００８７】
移動局ＭＳｊに許容された最大無線リソース量と無線基地局との実際の通信に占有されている無線リソースとの比率ｒｊ（使用率）が０〜６０％となる場合、評価点ｇ１（ｒｊ）が「４点」（最高点）であり、その使用率ｒｊが大きくなるに従って評価点ｇ１（ｒｊ）が「３点」、「２点」、「１点」、「０点」のように順次小さくなる。移動局ＭＳｊの現在の通信量が少ない（使用率が小さい）場合には、隣接する無線基地局でその分の無線リソースが空いている可能性が高く、当該移動局ＭＳｊを隣接する無線基地局にハンドオーバさせ易いと考えられる。また、通信速度が速くなる（通信量が多くなる）に従って必要な送信電力も大きくなり、移動局ＭＳｊと遠方の無線基地局と通信することが難しくなる。従って、この評価点ｇ１（ｒｊ）が大きければ大きいほど、その移動局ＭＳｊを隣接する無線基地局ハンドオーバさせるのに適している状況であることを表す。
【００８８】
移動局と現在通信を行っている無線基地局（相手局）ＢＳｉでの無線リソースの使用率Ｒｉが０〜２０％となる場合、評価点ｇ２（Ｒｉ）が「４点」（最高点）であり、その使用率Ｒｉが大きくなるに従って評価点ｇ２（Ｒｉ）が「１点」、「２点」、「３点」、「４点」のように順次大きくなる。従って、評価点ｇ２（Ｒｊ）が大きければ大きいほど、移動局と通信を行っている無線基地局（相手局）ＢＳｉにおける無線リソースに余裕があり、移動局とその無線基地局ＢＳｉとの組合せは通信に適している状況であることを表す。
【００８９】
一方、移動局と通信を行っている無線基地局に隣接した無線基地局（隣接局）ＢＳｉの場合も上記と同様に、無線リソースの使用率Ｒｉが０〜２０％となる場合、評価点ｇ２（Ｒｉ）が「４点」（最高点）であり、その使用率Ｒｉが大きくなるに従って評価点ｇ２（Ｒｉ）が「３点」、「２点」、「１点」、「０点」のように順次小さくなる。従って、評価点ｇ２（Ｒｉ）が大きければ大きいほど、移動局と通信を行っている無線基地局に隣接する無線基地局ＢＳｉにおける無線リソースに余裕があり、移動局とその隣接局ＢＳｉとの組合せは通信に適している状況にあること、即ち、移動局をその現在通信を行っている無線基地局から隣接する無線基地局ＢＳｉにハンドオーバさせることが好ましい状況であることを表す。
【００９０】
移動局の通信相手となる無線基地局（相手局）とその相手局に隣接する無線基地局（隣接局）の双方における無線リソースの空きが少ない場合には、1つの移動局が複数の無線基地局とリンクを張って通信を行う場合がある。このような場合を考慮して、移動局管理装置１９は、上述したような各移動局と無線基地局との組合せについての評価に加えて、各移動局とリンクを張る一または複数の無線基地局との組合せについての評価点Ｄを与える。この評価点Ｄは、例えば、図１５に示すような評価点表に基づいて定義される。
【００９１】
移動局は、現在通信を行なっている無線基地局との通信をできるだけ維持することが好ましく、その移動局の通信相手を他の無線基地局に変更する場合であっても、制御のし易さ等から変更先の無線基地局の数はできるだけ少ないことが好ましい。このような観点から、図１５に示す評価点が定められている。
【００９２】
図１５において、移動局が現在通信を行なっている無線基地局（自局）との通信を維持する場合、即ち、移動局がハンドオーバを行なわない場合が最高評価点「５点」が与えられる。そして、移動局との通信相手の変更後における無線基地局の数が多くなるにしたがってその評価点が小さくなる。そして、移動局での通信相手が複数（２つ、３つ及びそれ以上）の無線基地局に切替えられる場合、その切替え後の無線基地局に現在通信を行なっている無線基地局（自局）を含む場合は、それを含まない場合より評価点が高くなっている。
【００９３】
移動局管理装置１９は、上述したような移動局と無線基地局との組合せに対する各評価点に基づいて、移動局とその移動局がハンドオーバして通信を新たに行なうのに適した無線基地局との組合せを選択するための処理を行なう。この処理は、例えば、次のようにして行なわれる。
【００９４】
まず、移動局ＭＳｊがハンドオーバ後に無線基地局ＢＳｊと通信を行うことについての評価点ｙｉｊ、即ち、移動局ＭＳｊと無線基地局ＢＳｉとの組合せの評価点ｙｉｊが、上述した各評価点ｆ（Ｐｉｊ）、ｇ１（ｒｊ）、ｇ２（Ｒｉ）を用いて、
ｙｉｊ＝αｆ（Ｐｉｊ）＋βｇ１（ｒｊ）＋γｇ２（Ｒｉ）      …（１）
に従って演算される。上記式（１）において、α、β、γは、重み定数であり、システムの要求条件に基づいて予め設定されている。
【００９５】
更に、上記評価点Ｄ（図１５参照）を用いて、移動局ＭＳｊと無線基地局ｉとの組合せの最終的な評価点ｚが、
ｚ＝ｙｉｊ＋εＤ                              …（２−１）
に従って演算される。
【００９６】
そして、例えば、図１６に示すように、輻輳状態となる無線基地局ＢＳ２と現在通信を行なっている各移動局ＭＳ２、ＭＳ３、ＭＳ４及び該無線基地局ＢＳ２の通信エリアに進入してきた移動局ＭＳ１のそれぞれと無線基地局ＢＳ２、ＢＳ１、ＢＳ３、…との組合せについて上記式（２−１）に従って演算された各評価値が管理テーブルの形式にまとめられる。
【００９７】
更に、移動局ＭＳｊと２つの無線基地局ＢＳｉ１、ＢＳｉ２との組合せ、及び移動局ＭＳｊと３つの無線基地局ＢＳｉ１、ＢＳｉ２、ＢＳｉ３との組合せについての評価点ｚがそれぞれ、
ｚ＝（ｙｉ１ｊ＋ｙｉ２ｊ）／２＋εＤ              …（２−２）
ｚ＝（ｙｉ１ｊ＋ｙｉ２ｊ＋ｙｉ３ｊ）／３＋εＤ      …（２−３）
に従って演算される。上記式（２−２）、（２−３）において、εは重み定数である。また、上記各無線基地局ＢＳｉ１、ＢＳｉ２、ＢＳｉ３は、移動局ＭＳｊと組み合わされる無線基地局に対して前述したように演算された評価値ｙｉｊの大きい順に選ばれる。
【００９８】
上記のようにして演算された各移動局ＭＳｊと複数（２つ及び３つ）の無線基地局との組合せに対する評価点ｚが図１６に示すような管理テーブルに追加される。
【００９９】
上記のようにて管理テーブルが完成すると、その管理テーブルを参照してハンドオーバすべき移動局とそのハンドオーバ先の無線基地局との組合せが選択される。
【０１００】
例えば、図１６に示す管理テーブルを参照して、評価点ｚの高い順に移動局ＢＳｊと無線基地局ＢＳｉとの組合せを順次サーチし、現在通信している移動局と無線基地局との組合せ以外の組合せのなかで最も評価点の高い組合せが選択される。これは、現在通信を行っている移動局と無線基地局との組合せ以外の組合せのなかで最も通信に適した移動局と無線基地局との組合せが選択されることを意味する。上記のようにして移動局と無線基地局との組合せが選択される結果、この例では、移動局ＭＳ２と無線基地局ＢＳ２及びＢＳ３との組合せが選択される。
【０１０１】
このようにして移動局ＭＳ２と無線基地局ＢＳ２及びＢＳ３との組合せが選択されると、前述したようなＲＮＣ１０からの指示に基づいたハンドオーバ処理が実行される（図１１（ｃ）参照）。その結果、無線基地局ＢＳ２と通信していた移動局ＭＳ２の通信相手が無線基地局ＢＳ２及びＢＳ３に切替えられる（部分的なハンドオーバ）。
【０１０２】
上述した例では、移動局ＭＳ１が無線基地局ＢＳ２の通信エリアに進入することにより、無線基地局ＢＳ２での無線リソースが不足する（輻輳する）場合について説明したが、無線基地局ＢＳ２と通信を行なっている移動局ＭＳ２、ＭＳ３、ＭＳ４のいずれかのデータ通信量が増大することにより、あるいは、新規に無線基地局ＢＳ２と通信を開始する移動局が発生することにより無線基地局ＢＳ２での無線リソースが不足する場合にも同様の処理を行なうことができる。
【０１０３】
また、上述した例では、ハンドオーバのために選択される移動局と無線基地局との組合せは1つであったが、それに限定されず、移動局と通信相手となる無線基地局との組合せを複数選択することも可能である。この場合、上記評価点が高い順にその組合せが選択される。その組合せの数は、無線基地局でまだ使用可能な無線リソースの量と、その無線基地局と新たに通信を開始する移動局（ハンドオーバや発信による）や、その無線基地局と通信においてデータ通信量が急増した移動局がそれぞれ新たに必要とする無線リソースとの関係に基づいて定めることができる。
【０１０４】
更に、本発明の実施の形態に係るハンドオーバシステムの第六の例を説明する。この第六の例では、各移動局が通信状況に基づいた自律制御により通信相手となる無線基地局を切替える（ハンドオーバ）ようにしている。このため、各移動局は上述したＲＮＣ１０に設けられた移動局管理装置１９と同様の機能を有する。
【０１０５】
このハンドオーバシステムの第六の例では、例えば、図１７に示すような手順に従って処理が行なわれる。
【０１０６】
図１７において、ＲＮＣ１０の無線リソース管理装置１２は、各無線基地局ＢＳ１、ＢＳ２、ＢＳ３からそれぞれ無線リソースの空き状態（あるいは、使用状態）についての報告を要求する（１）。各無線基地局ＢＳ１、ＢＳ２、ＢＳ３は、その要求に対して自局における無線リソースの空き状態をＲＮＣ１０の無線リソース管理装置１２に報告する（１）。
【０１０７】
無線リソース管理装置１２は、報告された各無線基地局ＢＳ１、ＢＳ２、ＢＳ３での無線リソースの空き状態に関する情報を配下の移動局、例えば、移動局ＭＳ１、ＭＳ２のそれぞれに無線基地局ＢＳ１、ＢＳ２を介して通知する（２）。
【０１０８】
各移動局ＭＳ１、ＭＳ２は、現在通信中の無線基地局ＢＳ１、ＢＳ２及びそれに隣接する無線基地局からの受信電界強度を測定する。そして、上記のように通知された現在通信中の無線基地局及びそれに隣接する無線基地局での無線リソースの空き状態及び測定された上記受信電界強度に基づいて、各移動局ＭＳ１、ＭＳ２は、前述した例と同様に、各無線基地局の当該移動局に対する通信相手としてのふさわしさの度合いを表す評価点を演算する（３）。その演算手法は、上述した第五の例で述べた手法と同様である（移動局管理装置１９の機能）。各移動局ＭＳ１、ＭＳ２は、更に、上記のようにして演算された当該移動局と各無線基地局との組合せに対する評価点を記述した図１６に示すような管理テーブルを作成する（４）。
【０１０９】
上記各無線基地局での空き無線リソースに関する情報の各移動局ＭＳ１、ＭＳ２への通知は、例えば、所定周期毎になされる。そして、各移動局ＭＳ１、ＭＳ２は、その通知を受ける毎に、その通知された情報及び各無線基地局からの受信電界強度の測定値に基づいて上記管理テーブルに記述される評価点を更新する。ある無線基地局での通信量が増大して輻輳状態となると、その無線基地局と通信を行なう移動局は、現在通信中の無線基地局との組合せに対する評価点より一または複数の無線基地局との他の組み合わせに対する評価点が高くなり、かつ、それらの評価点の差が予め定めた基準値を超えると、当該移動局の通信相手として当該一または複数の無線基地局を選択する（３）。
【０１１０】
そして、移動局は、通信相手を上記のようにして選択した当該移動局との組合となる無線基地局に自律的に切替える（ハンドオーバ）（４）。以後、この移動局は、切替えられた無線基地局及びＲＮＣ１０、更に基幹網を介して他の端末と通信を行なう。
【０１１１】
このようなハンドオーバシステムでは、各移動局が現在通信中の無線基地局との組合せと一または複数の無線基地局との他の組合せについての評価とを管理し、その管理状況に基づいて各移動局が自律的に通信相手を切替えるようにしている。従って、ＲＮＣ１０は、配下の各移動局と無線基地局との組合せに対する評価点を一括して管理する必要がなくなり、ＲＮＣ１０での処理負担が軽減される。
【０１１２】
また更に、本発明の実施の形態に係るハンドオーバシステムの第七の例を説明する。この第七の例も上述した第六の例と同様に、各移動局が通信状況に基づいた自律制御により通信相手となる無線基地局を切替える（ハンドオーバ）ようにしている。この例では、各移動局は、前述したように管理テーブル（図１６参照）を作成することなく新たな通信相手となる無線基地局を選択するようにしている。
【０１１３】
例えば、ある無線基地局と通信を行なう移動局の通信データが急増して当該無線基地局が輻輳状態となった場合を想定する。
【０１１４】
各移動局は、例えば、図１８に示す手順に従って処理を行う。
【０１１５】
例えば、無線基地局ＢＳ１と通信を行なう移動局ＭＳ１の通信データが急増し、当該無線基地局ＢＳ１が輻輳した場合を想定する。この場合、移動局ＭＳ１は、通信データ量の増大により新たに必要となる無線リソース量Ｒｕと、上述したようにＲＮＣ１０からの報告された無線基地局ＢＳ１での空きリソース量Ｒ１とを比較する（Ｓ１）。その比較の結果、無線基地局ＢＳ１での空き無線リソース量Ｒ１が上記新たに必要となる無線リソース量Ｒｕ以上であれば（Ｓ１でＹＥＳ）、移動局ＭＳ１は、無線基地局ＢＳ１との通信状態を維持する（Ｓ２）。即ち、この場合、移動局ＭＳ１のハンドオーバはなされない。
【０１１６】
一方、上記無線基地局ＢＳ１での空きリソース量Ｒ１が上記のように移動局ＭＳ１でのデータ通信に新たに必要となる無線リソース量Ｒｕより小さい状態であると（Ｓ１でＮＯ）、移動局ＭＳ１は、無線基地局ＢＳ１に隣接する無線基地局ＢＳ２、ＢＳ３、…からの受信電界強度を測定する（Ｓ３）。そして、その受信電界強度の大きさに従って隣接する無線基地局の優先順位付けが行なされる。
【０１１７】
移動局ＭＳ１は、まず、最も優先順位の高い（最も受信電界強度の強い）無線基地局、例えば、無線基地局ＢＳ２からの電界強度が通信を行うために十分なものであるか否かを判定する（Ｓ４）。その電界強度が通信を行うために十分なものでなければ（Ｓ４でＮＧ）、移動局ＭＳ１は、無線基地局ＢＳ１との通信を維持する（ハンドオーバ中止）。この場合、無線基地局ＢＳ１は、空き無線リソースＲ１の範囲内で無線リソースを移動局ＭＳ１との通信に割当てる。
【０１１８】
一方、無線基地局ＢＳ２からの電界強度が通信を行うために十分なものであれば（Ｓ４でＯＫ）、移動局ＭＳ１は、更に、上述したようにＲＮＣ１０から報告された無線基地局ＢＳ２の空き無線リソース量Ｒ２が当該移動局ＭＳ１で新たに必要となる無線リソース量Ｒｕ以上であるか否かを判定する（Ｓ５）。この無線基地局ＢＳ２の空き無線リソース量Ｒ２が移動局ＭＳ１で新たに必要となる無線リソース量Ｒｕ以上であれば（Ｓ５でＹＥＳ）、移動局ＭＳ１は、通信相手として無線基地局ＢＳ２を指定する（Ｓ６）。この指定に基づいたＲＮＣ１０の切替え制御により、移動局ＭＳ１の通信相手が無線基地局ＢＳ１から無線基地局ＢＳ２に切替えられる（ハンドオーバされる）。
【０１１９】
また、無線基地局ＢＳ２の空き無線リソース量Ｒ２が移動局ＭＳ１で新たに必要となる無線リソース量Ｒｕより小さい場合（Ｓ５でＮＯ）、移動局ＭＳ１は、無線基地局ＢＳ１とＢＳ２の双方の空き無線リソース量Ｒ１及びＲ２の合計量（Ｒ１＋Ｒ２）が当該移動局ＭＳ１で新たに必要となる無縁リソース量Ｒｕ以上となるか否かを判定する（Ｓ７）。その合計量（Ｒ１＋Ｒ２）が当該移動局ＭＳ１で新たに必要になる無線リソース量Ｒｕ以上である場合（Ｓ７でＹＥＳ）、移動局ＭＳ１は、通信相手として２つの無線基地局ＢＳ１及びＢＳ２を指定する（Ｓ８）。この指定に基づいたＲＮＣ１０の切替え制御により、移動局ＭＳ１の通信相手が無線基地局ＢＳ１の１局から無線基地局ＢＳ１及びＢＳ２の２局に切替えられる（一部ハンドオーバされる）。
【０１２０】
一方、上記無線基地局ＢＳ１とＢＳ２の双方の空き無線リソース量Ｒ１及びＲ２の合計量（Ｒ１＋Ｒ２）が当該移動局ＭＳ１で新たに必要となる無線リソース量Ｒｕより小さい場合（Ｓ７でＮＯ）、移動局ＭＳ１は、無線基地局ＢＳ２の次に優先度が高い（受信電界強度が高い）無線基地局、例えば、無線基地局ＢＳ３からの電界強度が通信を行うために十分なものであるか否かを判定する（Ｓ９）。その電界強度が通信を行うために十分なものでなければ（Ｓ９でＮＧ）、移動局ＭＳ１は、上述の場合（Ｓ４でＮＧ）と同様に、無線基地局ＢＳ１との通信を維持する（ハンドオーバ中止）。
【０１２１】
上記無線基地局ＢＳ３からの電界強度が移動局ＭＳ１と通信を行うために十分なものであれば（Ｓ９でＯＫ）、当該移動局ＭＳ１は、更に、上述したようにＲＮＣ１０から報告された無線基地局ＢＳ３での空き無線リソース量Ｒ３が新たに必要となる無線リソース量Ｒｕ以上であるか否かを判定する（Ｓ１０）。この無線基地局Ｒ３での空き無線リソース量Ｒ３が移動局ＭＳ１で新たに必要となる無線リソース量Ｒｕ以上であると（Ｓ１０でＹＥＳ）、移動局ＭＳ１は、通信相手として無線基地局ＢＳ３を指定する（Ｓ１１）。この指定に基づいたＲＮＣ１０の切替え制御により、移動局ＭＳ１の通信相手が無線基地局ＢＳ１から無線基地局ＢＳ３に切替えられる（ハンドオーバされる）。
【０１２２】
一方、無線基地局ＢＳ３の空き無線リソース量Ｒ３が移動局ＭＳ１で新たに必要となる無線リソース量Ｒｕより小さい場合（Ｓ１０でＮＯ）、移動局ＭＳ１は、無線基地局ＢＳ１とＢＳ３の双方の空き無線リソース量Ｒ１及びＲ２の合計量（Ｒ１＋Ｒ３）が当該移動局ＭＳ１で新たに必要となる無縁リソース量Ｒｕ以上となるか否かを判定する（Ｓ１２）。その合計量（Ｒ１＋Ｒ３）が当該移動局ＭＳ１で新たに必要になる無線リソース量Ｒｕ以上である場合（Ｓ１２でＹＥＳ）、移動局ＭＳ１は、通信相手として２つの無線基地局ＢＳ１及びＢＳ３を指定する（Ｓ１３）。この指定に基づいたＲＮＣ１０の切替え制御により、移動局ＭＳ１の通信相手が無線基地局ＢＳ１の１局から無線基地局ＢＳ１及びＢＳ３の２局に切替えられる（一部ハンドオーバされる）。
【０１２３】
上記無線基地局ＢＳ１とＢＳ３の双方の空き無線リソース量Ｒ１及びＲ３の合計量（Ｒ１＋Ｒ３）が当該移動局ＭＳ１で新たに必要となる無線リソース量Ｒｕより小さい場合（Ｓ１２でＮＯ）、移動局ＭＳ１は、無線基地局ＢＳ１に隣接する２つの無線基地局ＢＳ２とＢＳ３の双方の空き無線リソース量Ｒ２及びＲ３の合計量（Ｒ２＋Ｒ３）が当該移動局ＭＳ１で新たに必要となる無線リソース量Ｒｕ以上となるか否かを判定する（Ｓ１４）。この合計量（Ｒ２＋Ｒ３）が上記新たに必要となる無線リソース量Ｒｕ以上であれば（Ｓ１４でＹＥＳ）、移動局ＭＳ１は、通信相手として２つの無線基地局ＢＳ２及びＢＳ３を指定する（Ｓ１５）。この指定に基づいたＲＮＣ１０の切替制御により、移動局ＭＳ１の通信相手が無線基地局ＢＳ１から無線基地局ＢＳ２及びＢＳ３の２局い切替られる（複数局へのハンドオーバ）。
【０１２４】
上記無線基地局ＢＳ２とＢＳ３の双方の空き無線リソース量Ｒ２及びＲ３の合計量（Ｒ２＋Ｒ３）が当該移動局ＭＳ１で新たに必要となる無線リソース量Ｒｕより小さい場合（Ｓ１４でＮＯ）、更に、移動局ＭＳ１は、３つの無線基地局ＢＳ１、ＢＳ２及びＢＳ３の空き無線リソースＲ１、Ｒ２及びＲ３の合計量（Ｒ１＋Ｒ２＋Ｒ３）が当該移動局ＭＳ１で新たに必要となる無線リソース量Ｒｕ以上となるか否かを判定する（Ｓ１６）。この合計量（Ｒ１＋Ｒ２＋Ｒ３）が当該移動局ＭＳ１で新たに必要となる無線リソース量Ｒｕ以上であれば（Ｓ１６でＹＥＳ）、移動局ＭＳ１は、通信相手として３つの無線基地局ＢＳ１、ＢＳ２及びＢＳ３を指定する（Ｓ１７）。この指定に基づいたＲＮＣ１０の切替え制御により、移動局ＭＳ１の通信相手が無線基地局ＢＳ１の１局から無線基地局ＢＳ１、ＢＳ２及びＢＳ３の３局に切替えられる（一部ハンドオーバ）。
【０１２５】
一方、上記無線リソースの合計量（Ｒ１＋Ｒ２＋Ｒ３）が当該移動局ＭＳ１で新たに必要となる無線リソース量Ｒｕより小さい場合（Ｓ１６でＮＯ）、隣接する他の無線基地局がなければ、移動局ＭＳ１は、上述した場合（Ｓ４でＮＧ、Ｓ９でＮＧ）と同様に、無線基地局ＢＳ１との通信を維持する（ハンドオーバ中止）。
【０１２６】
上記のような処理は、無線基地局と通信を行っている移動局のデータ通信量が急増した場合に、その移動局にて実行される。従って、ある無線基地局の通信エリアに通信中の移動局が進入することにより当該無線基地局が輻輳状態になる場合になった場合には、既に当該無線基地局と通信を行うどの移動局が上述した手順（図１８参照）に従ってハンドオーバに係る処理を実行すべきかが判らない。そこで、ＲＮＣ１０が前述したように移動局管理装置１９を備えることにより、上記の場合でも適当な移動局が通信状況に基づいた自律制御により通信相手となる無線基地局を切替えることができるようになる。
【０１２７】
例えば、通信エリアに移動局が進入することにより輻輳状態となる無線基地局と既に通信を行っている全移動局が当該無線基地局からの受信電界強度を測定し、各移動局がその測定値をＲＮＣ１０の移動局管理装置１９に報告する。移動局管理装置１９は、その報告された受信電界強度の弱い順に各移動局に対して優先順位をつける。そして、移動局管理装置１９は、優先順位の最も高い（受信電界強度の最も低い）移動局に対してハンドオーバに関する処理を行うことを指示する。この指示された移動局が図１８に示す手順に従ってハンドオーバに関する処理を行う。その際、無線リソース量Ｒｕは、その指定された移動局が現在使用している無線リソース量となる。
【０１２８】
上記移動局のハンドオーバによる無線リソースの減少量が通信エリアに進入する移動局の使用すべき無線リソース量に達しない場合、あるいは、上記指示された移動局のハンドオーバが可能でない場合、次の優先順位（次に受信電界強度の低い）の移動局に対して図１８に示す手順に従ってハンドオーバに関する処理を行うことが指示される。そして、無線リソースの減少量がその通信エリアに進入する移動局が使用すべき無線リソース量に達するまで、上述した移動局の指定及びその指定された移動局でのハンドオーバに関する処理が繰返し行われる。
【０１２９】
次に、本発明の実施の形態に係るハンドオーバシステムの第八の例を説明する。  この例では、前述した各例のようにして移動局のハンドオーバがなされた後に、そのハンドオーバされた移動局での通信状況が適切なものか否かを検証するようにしている。
【０１３０】
この例に係るハンドオーバシステムは、図１９に示すように構成されている。
【０１３１】
図１９において、ＲＮＣ１０は、前述した第五の例と同様に（図１０図参照）、電界強度測定制御装置１１、無線リソース管理装置１２、スイッチ１３及び移動局管理装置１９を有している。ＲＮＣ１０は、更に、ＢＥＲ（Bit Error Rate：誤り率）測定制御装置２０を有している。また、各移動局ＭＳ１、ＭＳ２、ＭＳ３は、無線基地局との通信における誤り率（ＢＥＲ）を測定するためのＢＥＲ測定器を備えている。
【０１３２】
この例では、図２０に示す手順に従って処理が行われる。
【０１３３】
無線基地局ＢＳ１と通信を行っていた移動局ＭＳ１のハンドオーバにより無線基地局ＢＳ２が輻輳状態となると、図１１に示す手順と同様の手順（ａ）、（ｂ）、（ｃ）に従って、輻輳状態となる無線基地局ＢＳ２と通信を行っていた移動局ＭＳ２がハンドオーバされる。その結果、移動局ＭＳ２の通信相手が無線基地局ＢＳ２の１局から無線基地局ＢＳ２及びＢＳ３の２局に切替えられる。
【０１３４】
このようにして移動局ＭＳ２の通信相手が無線基地局ＢＳ２及びＢＳ３に切替えられると、この移動局ＭＳ２の通信における誤り率の確認が行われる（図２０の（ｄ）参照）。即ち、ＲＮＣ１０のＢＥＲ測定制御装置２０は、各無線基地局ＢＳ２及びＢＳ３を介して移動局ＭＳ２に誤り率を測定するように指示する。この指示を移動局ＭＳ２が受信すると、ＢＥＲ測定器がその指示に従って各無線基地局ＢＳ２、ＢＳ３との通信における誤り率を測定する。そして、移動局ＭＳ２は、その測定された誤り率をＲＮＣ１０のＢＥＲ測定制御装置２０に報告する。
【０１３５】
ＢＥＲ測定制御装置２０は、移動局ＭＳ２から誤り率の報告を受けると、その誤り率が一定値以下であるか否かを判定する。その誤り率が一定値以下であれば、良好にハンドーバされた旨がＢＥＲ測定制御装置２０から無線基地局ＢＳ２、ＢＳ３を介して移動局ＭＳ２に通知される。一方、その誤り率が一定値を超える場合、その移動局ＭＳ１とその通信相手となる無線基地局との組合せが不適当であるとして、ＢＥＲ測定制御装置２０は、移動局管理装置１９に対して再度ハンドオーバすべき移動局とその通信相手となる無線基地局との組合せを選択する手順を開始するように指示する。すると、移動局管理装置１９での制御のもと、前述したような手順（図１２参照）に従ってハンドオーバすべき移動局とそのハンドオーバ先となる無線基地局との組合せの選択が再度行われる。そして、その選択された移動局がそれと組になる無線基地局にハンドオーバされる。
【０１３６】
上記のようにして無線基地局ＢＳ２と通信を行っていた移動局の隣接する無線基地局へのハンドオーバに関する処理がなされ、そのハンドオーバ後の通信が良好な状態であることが確認されると、移動局ＭＳ１の無線基地局ＢＳ１から無線基地局ＢＳ２へのハンドオーバが再開される（図２０の（ｅ）参照）。
【０１３７】
上記各例において、最低帯域保証装置１４（図２、図５、図７におけるＳ３での処理参照）が検出手段に対応し、無線リソース管理装置１２（図２、図５、図７におけるＳ５、Ｓ６での処理参照）が切替え制御手段に対応し、特に、図２、図５、図７におけるＳ５での処理が選択手段に対応する。
【０１３８】
図８に示すプロトコル変換器１８を含む無線リソース管理装置１２及び１０２とを結ぶ経路が、移動局についての無線リソースに関する情報を有線区間を介して第一の無線通信システムから第二の無線通信システムにプロトコル変換を行って転送する手段に対応する。
【０１３９】
各無線基地局や移動局の機能の一部が、輻輳判定手段に対応し、移動局管理装置１９（図１２、図１７に示す手順（３）での処理、図１８に示す手順での処理参照）が選択手段に対応し、図１１に示すハンドーバ２での処理の一部が切替え制御手段に対応する。また、ＢＥＲ測定制御装置２０の機能が通信状態観測手段及び状態判定手段、再切替制御手段に対応する。
【符号の説明】
【０１４０】
１０  ＲＮＣ（Radio Network Controller：無線網制御装置）
１１  電界強度測定制御装置
１２  無線リソース管理装置
１３  交換機
１４  最低帯域保証装置
１５  信号分配／合成装置
１６  帯域測定装置（最低帯域監視装置）
１７、１８  プロトコル変換器
１９  移動局管理装置
２０  ＢＥＲ測定制御装置
【図１】
2011091853.tif 000003
【図２】
2011091853.tif 000004
【図３】
2011091853.tif 000005
【図４】
2011091853.tif 000006
【図５】
2011091853.tif 000007
【図６】
2011091853.tif 000008
【図７】
2011091853.tif 000009
【図８】
2011091853.tif 000010
【図９】
2011091853.tif 000011
【図１０】
2011091853.tif 000012
【図１１】
2011091853.tif 000013
【図１２】
2011091853.tif 000014
【図１３】
2011091853.tif 000015
【図１４】
2011091853.tif 000016
【図１５】
2011091853.tif 000017
【図１６】
2011091853.tif 000018
【図１７】
2011091853.tif 000019
【図１８】
2011091853.tif 000020
【図１９】
2011091853.tif 000021
【図２０】
2011091853.tif 000022
【図２１】
2011091853.tif 000023
【図２２】
2011091853.tif 000024